(57)【要約】【課題】少なくとも血圧値を含む生体情報を考慮してユーザに適した負荷を与えることが可能なトレーニングメニューを提供することができる情報処理装置、情報処理方法及びプログラムを提供する。【解決手段】情報処理装置は、ユーザの少なくとも血圧値を含む生体情報を取得する生体情報取得部と、前記生体情報に基づいてユーザの血圧調整能力を判定する判定部と、前記血圧調整能力に対応するトレーニングメニューを示すメニュー情報を生成する生成部と、を備える。【選択図】      図１
2018191786.tif 000002
【特許請求の範囲】
【請求項１】
ユーザの少なくとも血圧値を含む生体情報を取得する生体情報取得部と、
前記生体情報に基づいてユーザの血圧調整能力を判定する判定部と、
前記血圧調整能力に対応するトレーニングメニューを示すメニュー情報を生成する生成部と、
を備える情報処理装置。
【請求項２】
前記生成部は、前記トレーニングメニューとして呼吸トレーニングのメニュー又は歩行トレーニングのメニューを含む前記メニュー情報を生成する、
前記請求項１に記載の情報処理装置。
【請求項３】
前記呼吸トレーニングのメニュー又は前記歩行トレーニングのメニューは、音による案内で提供される、
前記請求項２に記載の情報処理装置。
【請求項４】
前記ユーザの体の一部に生じた動きを示す動き情報を取得する動き情報取得部を、さらに備え、
前記判定部は、前記動き情報にさらに基づいて前記血圧調整能力を判定する、
前記請求項１乃至３の何れか１項に記載の情報処理装置。
【請求項５】
少なくとも気温を含む環境情報を取得する環境情報取得部を、さらに備え、
前記判定部は、前記環境情報にさらに基づいて前記血圧調整能力を判定する、
前記請求項１乃至４の何れか１項に記載の情報処理装置。
【請求項６】
前記判定部は、前記ユーザの自律神経の状態を判定し、
前記生成部は、前記トレーニングメニューとして、前記自律神経の状態にさらに基づくトレーニングメニューを示す前記メニュー情報を生成する、
前記請求項１乃至５の何れか１項に記載の情報処理装置。
【請求項７】
情報処理装置が、ユーザの少なくとも血圧値を含む生体情報を取得する過程と、
前記情報処理装置が、前記生体情報に基づいてユーザの血圧調整能力を判定する過程と、
前記情報処理装置が、前記血圧調整能力に対応するトレーニングメニューを示すメニュー情報を生成する過程と、
を備える情報処理方法。
【請求項８】
請求項１乃至６の何れか１項に記載の情報処理装置が備える各部としてプロセッサを機能させるプログラム。
【発明の詳細な説明】
【技術分野】
【０００１】
この発明は、ユーザにトレーニングメニューを提示する情報処理装置、情報処理方法及びプログラムに関連する。
【背景技術】
【０００２】
従来、ユーザからのリクエストに対応するトレーニングメニューを生成してユーザに提供する装置又はサービスが種々提案されている。この種の装置又はサービスは、例えば、リクエストに含まれるユーザの身長及び体重などに基づいて、体重の減少又は体力の向上を目的とするトレーニングメニューを生成し、ユーザに提供する。
【先行技術文献】
【特許文献】
【０００３】
【特許文献１】特開２０１６−１１９００６号公報
【発明の概要】
【発明が解決しようとする課題】
【０００４】
しかしながら、ユーザは、身長又は体重は同じであっても、血圧等の生体情報（バイタルデータ）が異なる場合がある。そのため、装置又はサービスがトレーニングメニューをユーザの体重や身長に基づいて生成すると、ユーザによってはトレーニングによる負荷が大きくなりすぎ、場合により脳・心血管イベントを引き起こす恐れがあった。
【０００５】
そこで、本発明は、少なくとも血圧値を含む生体情報を考慮してユーザに適した負荷を与えることが可能なトレーニングメニューを提供することができる情報処理装置、情報処理方法及びプログラムを提供する。
【課題を解決するための手段】
【０００６】
上記課題を解決するために第１の形態に係る情報処理装置は、ユーザの少なくとも血圧値を含む生体情報を取得する生体情報取得部と、前記生体情報に基づいてユーザの血圧調整能力を判定する判定部と、前記血圧調整能力に対応するトレーニングメニューを示すメニュー情報を生成する生成部と、を備える。
【０００７】
第２の形態に係る前記生成部は、前記トレーニングメニューとして呼吸トレーニングのメニュー又は歩行トレーニングのメニューを含む前記メニュー情報を生成する。
【０００８】
第３の形態に係る前記呼吸トレーニングのメニュー又は前記歩行トレーニングのメニューは、音による案内で提供される。
【０００９】
第４の形態に係る情報処理装置は、前記ユーザの体の一部に生じた動きを示す動き情報を取得する動き情報取得部を、さらに備え、前記判定部は、前記動き情報にさらに基づいて前記血圧調整能力を判定する。
【００１０】
第５の形態に係る情報処理装置は、少なくとも気温を含む環境情報を取得する環境情報取得部を、さらに備え、前記判定部は、前記環境情報にさらに基づいて前記血圧調整能力を判定する。
【００１１】
第６の形態に係る前記判定部は、前記ユーザの自律神経の状態を判定し、前記生成部は、前記トレーニングメニューとして、前記自律神経の状態にさらに基づくトレーニングメニューを示す前記メニュー情報を生成する。
【発明の効果】
【００１２】
第１の形態によれば、情報処理装置は、ユーザの血圧調整能力に対応するトレーニングメニューを示すメニュー情報を生成する。その結果、ユーザは、自身の血圧調整能力に適した負荷のトレーニングを行うことができる。従って、情報処理装置は、脳・心血管イベントの発症リスクを軽減することができる。
【００１３】
第２の形態によれば、情報処理装置は、トレーニングメニューとして、呼吸トレーニング又は歩行トレーニングのメニューを提供する。その結果、ユーザは、特別な器具や施設を使用することなく、自身の血圧調整能力に適したトレーニングを行うことができる。
【００１４】
第３の形態によれば、情報処理装置は、上記呼吸トレーニング又は歩行トレーニングのメニューが、音による案内で提供する。このため、ユーザは、例えばテンポ音に合わせることで、過負荷になることなく常に適切な負荷のトレーニングを行うことができる。
【００１５】
第４の形態によれば、情報処理装置は、ユーザの生体情報に加え、体の動きの情報を考慮して血圧調整能力を判定し、トレーニングメニューを生成する。例えば、情報処理装置は、ユーザの動きの状態（例えば動きの速度や量）を加味して血圧調整能力を判定する。その結果、情報処理装置は、生体情報に基づいてユーザの血圧調整能力を判定する場合に比べ、ユーザの血圧調整能力をより一層正確に判定することができる。
【００１６】
第５の形態によれば、情報処理装置は、ユーザが存在する場所の環境情報がさらに考慮されて当該ユーザの血圧調整能力を判定する。その結果、情報処理装置は、環境によって生じた生体情報の変化を考慮してより正確な血圧調整能力の判定を行うことができる。
【００１７】
第６の形態によれば、情報処理装置は、血圧調整能力をもとにユーザに適したトレーニングメニューを生成することができる。
【図面の簡単な説明】
【００１８】
【図１】図１は、提供システムの構成例を概略的に示す図である。
【図２】図２は、サーバ装置の構成例を示すブロック図である。
【図３】図３は、検出装置の構成例を示すブロック図である。
【図４】図４は、携帯端末の構成例を示すブロック図である。
【図５】図５は、サーバ装置の機能の構成例を示すブロック図である。
【図６】図６は、サーバ装置の動作例を示すフローチャートである。
【発明を実施するための形態】
【００１９】
以下、この発明の一実施形態について、図面を参照して説明する。  
一実施形態に係る提供システムは、種々の情報に基づいてユーザの血圧調整能力を判定する。また、提供システムは、ユーザの血圧調整能力に基づいてユーザのトレーニングメニューを決定する。提供システムは、決定したトレーニングメニューをユーザに提示する。
【００２０】
図１は、この発明の一実施形態に係る提供システム１の構成例を概略的に示す図である。  
図１が示すように、提供システム１は、サーバ装置１０、検出装置２０及び携帯端末３０などから構成される。なお、提供システム１は、図１に示すような構成の他に必要に応じた構成を具備したり、特定の構成を除外したりしてもよい。
【００２１】
サーバ装置１０（情報処理装置）は、インターネットなどの通信網４０を通じて携帯端末３０などとデータを送受信する。サーバ装置１０は、携帯端末３０などからのデータに基づいて、ユーザの血圧調整能力などを判定する。サーバ装置１０は、ユーザの血圧調整能力などに基づいてユーザのトレーニングメニューを決定する。サーバ装置１０は、決定したトレーニングメニューを示すメニュー情報を携帯端末３０へ送信する。  
サーバ装置１０については、図２などを用いて後に詳述する。
【００２２】
検出装置２０は、ユーザの腕に取り付けられる腕時計型のウェアラブル端末である。検出装置２０は、種々のセンサを用いてユーザの生体情報を取得する。また、検出装置２０は、ユーザの体に生じた加速度を示す加速度情報を取得する。また、検出装置２０は、種々のセンサを通じて周囲の環境情報を取得する。検出装置２０は、取得した生体情報、加速度情報及び環境情報をサーバ装置１０へ送信する。
【００２３】
なお、検出装置２０は、ユーザの生体情報を検出できるものであればどのようなセンサを使用してもよく、また装置のタイプもウェアラブル端末に限定されるものではない。  
検出装置２０については、図３などを用いて後に詳述する。
【００２４】
携帯端末３０は、ユーザが所持する端末である。たとえば、携帯端末３０は、ノートＰＣ、タブレットＰＣ、スマートフォン又はウェアラブル端末である。携帯端末３０は、インターネットなどの通信網４０を通じてサーバ装置１０とデータを送受信する。また、携帯端末３０は、検出装置２０とデータを送受信する。携帯端末３０は、検出装置２０からのデータをサーバ装置１０へ送信する。また、携帯端末３０は、サーバ装置１０からのメニュー情報が示すトレーニングメニューを提示する。  
携帯端末３０については、図４などを用いて後に詳述する。
【００２５】
次に、サーバ装置１０について説明する。  
図２は、一実施形態に係るサーバ装置１０の構成例を示すブロック図である。  
図２が示す構成例において、サーバ装置１０は、プロセッサ１１、メモリ１２、通信部１３、操作部１４及び表示部１５などを備える。これらの各部は、データバスを介して互いに接続される。なお、サーバ装置１０は、図２が示すような構成の他に必要に応じた構成を具備したり、特定の構成を除外したりしてもよい。
【００２６】
プロセッサ１１は、サーバ装置１０全体の動作を制御する機能を有する。プロセッサ１１は、内部キャッシュ及び各種のインターフェースなどを備えてもよい。プロセッサ１１は、内部キャッシュ又はメモリ１２が予め記憶するプログラムを実行することにより種々の処理を実現する。
【００２７】
なお、プロセッサ１１がプログラムを実行することにより実現する各種の機能のうちの一部は、ハードウエア回路により実現されるものであってもよい。この場合、プロセッサ１１は、ハードウエア回路により実行される機能を制御する。
【００２８】
メモリ１２は、種々のデータを格納する。たとえば、メモリ１２は、ＲＯＭ、ＲＡＭ及びＮＶＭとして機能する。  
たとえば、メモリ１２は、制御プログラム及び制御データなどを記憶する。制御プログラム及び制御データは、サーバ装置１０の仕様に応じて予め組み込まれる。たとえば、制御プログラムは、サーバ装置１０で実現する機能をサポートするプログラムなどである。
【００２９】
また、メモリ１２は、プロセッサ１１の処理中のデータなどを一時的に格納する。また、メモリ１２は、アプリケーションプログラムの実行に必要なデータ及びアプリケーションプログラムの実行結果などを格納してもよい。
【００３０】
通信部１３は、携帯端末３０とデータを送受信するためのインターフェースである。通信部１３は、インターネットなどの通信網４０を通じて携帯端末３０とデータを送受信する。たとえば、通信部１３は、ＬＡＮ接続などをサポートするものである。
【００３１】
操作部１４は、たとえば、キーボード、テンキー及びタッチパネルから構成される。操作部１４は、サーバ装置１０のオペレータが入力した種々の操作指示を取り込み、オペレータに入力された操作指示を表す信号をプロセッサ１１へ送信する。
【００３２】
表示部１５は、たとえば液晶モニタから構成される。表示部１５は、プロセッサ１１の制御により種々の情報を表示する。なお、操作部１４がタッチパネルなどで構成される場合、表示部１５は、操作部１４と一体的に形成されてもよい。
【００３３】
次に、検出装置２０について説明する。  
図３は、一実施形態に係る検出装置２０の構成例を示すブロック図である。  
図３が示す構成例において、検出装置２０は、プロセッサ２１、メモリ２２、通信部２３、操作部２４、表示部２５、生体センサ２６、加速度センサ２７及び環境センサ２８などを備える。これらの各部は、データバスを介して互いに接続される。なお、検出装置２０は、図３が示すような構成の他に必要に応じた構成を具備したり、特定の構成を除外したりしてもよい。
【００３４】
プロセッサ２１は、検出装置２０全体の動作を制御する機能を有する。プロセッサ２１は、内部キャッシュ及び各種のインターフェースなどを備えてもよい。プロセッサ２１は、内部キャッシュ又はメモリ２２が予め記憶するプログラムを実行することにより種々の処理を実現する。
【００３５】
なお、プロセッサ２１がプログラムを実行することにより実現する各種の機能のうちの一部は、ハードウエア回路により実現されるものであってもよい。この場合、プロセッサ２１は、ハードウエア回路により実行される機能を制御する。
【００３６】
メモリ２２は、種々のデータを格納する。たとえば、メモリ２２は、制御プログラム及び制御データなどを記憶する。制御プログラム及び制御データは、検出装置２０の仕様に応じて予め組み込まれる。制御プログラムは、検出装置２０で実現する機能をサポートするプログラムなどである。
【００３７】
また、メモリ２２は、プロセッサ２１の処理中のデータなどを一時的に格納する。また、メモリ２２は、アプリケーションプログラムの実行に必要なデータ及びアプリケーションプログラムの実行結果などを格納してもよい。メモリ２２は、ユーザの生体情報、加速度情報又は環境情報などを一時的又は非一時的に格納する。
【００３８】
通信部２３は、携帯端末３０とデータを送受信するためのインターフェースである。たとえば、通信部２３は、有線又は無線回線を介して携帯端末３０と接続する。たとえば、通信部２３は、ＬＡＮ接続、ＵＳＢ接続又はｂｌｕｅｔｏｏｔｈをサポートするものであってもよい。
【００３９】
操作部２４は、たとえば、テンキー及びタッチパネルから構成される。操作部２４は、検出装置２０を装着するユーザが入力した種々の操作指示を取り込み、当該操作指示を表す信号をプロセッサ２１へ出力する。
【００４０】
表示部２５は、たとえば液晶モニタから構成される。表示部２５は、プロセッサ２１の制御により種々の情報を表示する。なお、操作部２４がタッチパネルなどで構成される場合、表示部２５は、操作部２４と一体的に形成されてもよい。
【００４１】
生体センサ２６は、測定対象とする生体情報を測定するためのセンサから構成される。生体センサ２６は、連続でユーザの生体に関する生体情報を測定する。生体センサ２６は、少なくとも血圧を測定する血圧センサ２６１を含む。なお、生体センサ２６は、心拍を測定する心拍センサ、心電図を測定する心電センサ、脈波を測定する脈波センサ、脈拍を測定する脈拍センサ、体温を測定する体温センサ又は発汗状態を測定する発汗センサなどを含むものであってもよい。また、生体センサ２６は、頭部に設置され脳波を測定するセンサからセンサデータを受信するものであってもよい。
【００４２】
血圧センサ２６１は、生体情報として、ユーザの血圧を測定するセンサである。たとえば、血圧センサ２６１は、ユーザの心拍の一拍ごと（連続的）に血圧を測定可能な血圧センサ（以降、連続型の血圧センサと称する）である。連続型の血圧センサは、脈波伝播時間（ＰＴＴ；Ｐｕｌｓｅ  Ｔｒａｎｓｉｔ  Ｔｉｍｅ）からユーザの血圧を連続測定するものであってもよいし、トノメトリ法または他の技法により連続測定を実現してもよい。なお、血圧センサ２６１は、特定の構成に限定されるものではない。
【００４３】
また、血圧センサ２６１以外の各センサも、連続又は所定の時間間隔でユーザの生体情報を測定する。すなわち、生体センサ２６を構成する各センサは、心臓が一拍鼓動するごと（連続的）に生体情報を測定してもよいし、所定の時間間隔で生体情報を測定してもよい。
【００４４】
また、生体センサ２６を構成する各センサは、測定結果を示す測定値（生体情報の状態を示す値（生体情報の測定値））をプロセッサ２１へ出力する。たとえば、生体センサ２６の各センサは、生体情報を測定する度に測定した生体情報の測定値をプロセッサ２１へ出力してもよい。また、生体センサ２６の各センサは、所定の時間間隔で生体情報の測定値をプロセッサ２１へ送信してもよい。また、生体センサ２６は、バッファ用のメモリを有し、所定の時間間隔内で測定した生体情報の測定値をまとめてプロセッサ２１へ出力してもよい。
【００４５】
加速度センサ２７は、加速度センサ２７が受ける加速度を検出する。加速度センサ２７は、ユーザの体の一部に生じた加速度（動き）を検出する。検出装置２０がユーザの手首に取り付けられているため、加速度センサ２７は、ユーザの手首に生じる３軸の加速度情報を検出する。加速度センサ２７は、加速度の測定値を示す加速度情報（動き情報）をプロセッサ２１へ出力する。
【００４６】
環境センサ２８は、連続でユーザの周辺の環境を示す環境情報を測定する。たとえば、環境センサ２８は、環境情報としての気温を測定する気温センサ２８１を含む。なお、環境センサ２８は、湿度を測定する湿度センサ、気圧を測定する気圧センサ、照度を測定する照度センサ又は音を測定するマイクなどを備えてもよい。
【００４７】
気温センサ２８１は、サーミスタ、熱電対又は赤外線センサなどから構成される。気温センサ２８１は、ユーザの周辺の気温を測定する。また、気温センサ２８１は、検知部が実際に測定する値をユーザの体温の影響に応じて補正した値を気温の測定値として出力するものであってもよい。気温センサ２８１の構成は、特定の構成に限定されるものではない。なお、プロセッサ２１が気温センサ２８１の測定値をユーザの体温の影響に応じて補正することにより気温を測定してもよい。
【００４８】
また、環境センサ２８の各センサは、測定結果を示す値（環境状態を示す値（環境情報の測定値））をプロセッサ２１へ出力する。たとえば、環境センサ２８は、環境情報を測定する度に当該環境情報の測定値をプロセッサ２１へ出力してもよい。また、環境センサ２８の各センサは、所定の時間間隔で環境情報の測定値をプロセッサ２１へ送信してもよい。たとえば、環境センサ２８は、バッファメモリを有し、所定の間隔内で測定した環境情報の測定値をまとめてプロセッサ２１へ送信してもよい。
【００４９】
なお、検出装置２０は、ジャイロセンサなどを備えてもよい。たとえば、ジャイロセンサは、３軸方向の回転を検出し、検出結果をプロセッサ２１へ送信する。
【００５０】
次に、携帯端末３０について説明する。  
図４は、一実施形態に係る携帯端末３０の構成例を示すブロック図である。  
図４が示す構成例において、携帯端末３０は、プロセッサ３１、メモリ３２、第１の通信部３３、第２の通信部３４、操作部３５、表示部３６及びスピーカ部３７などを備える。これらの各部は、データバスを介して互いに接続される。なお、携帯端末３０は、図４が示すような構成の他に必要に応じた構成を具備したり、特定の構成を除外したりしてもよい。
【００５１】
プロセッサ３１は、携帯端末３０全体の動作を制御する機能を有する。プロセッサ３１は、内部キャッシュ及び各種のインターフェースなどを備えてもよい。プロセッサ３１は、内部キャッシュ又はメモリ３２が予め記憶するプログラムを実行することにより種々の処理を実現する。
【００５２】
なお、プロセッサ３１がプログラムを実行することにより実現する各種の機能のうちの一部は、ハードウエア回路により実現されるものであってもよい。この場合、プロセッサ３１は、ハードウエア回路により実行される機能を制御する。
【００５３】
メモリ３２は、種々のデータを格納する。たとえば、メモリ３２は、ＲＯＭ、ＲＡＭ及びＮＶＭとして機能する。  
たとえば、メモリ３２は、制御プログラム及び制御データなどを記憶する。制御プログラム及び制御データは、携帯端末３０の仕様に応じて予め組み込まれる。たとえば、制御プログラムは、携帯端末３０で実現する機能をサポートするプログラムなどである。
【００５４】
また、メモリ３２は、プロセッサ３１の処理中のデータなどを一時的に格納する。また、メモリ３２は、アプリケーションプログラムの実行に必要なデータ及びアプリケーションプログラムの実行結果などを格納してもよい。
【００５５】
第１の通信部３３は、サーバ装置１０とデータを送受信するためのインターフェースである。第１の通信部３３は、インターネットなどの通信網４０を通じてサーバ装置１０とデータを送受信する。たとえば、第１の通信部３３は、ＬＡＮ接続などをサポートするものである。
【００５６】
第２の通信部３４は、検出装置２０とデータを送受信するためのインターフェースである。第２の通信部３４は、無線又は有線で検出装置２０と接続する。たとえば、第１の通信部３３は、ＬＡＮ接続、ＵＳＢ接続又はｂｌｕｅｔｏｏｔｈなどをサポートするものである。  
なお、第１の通信部３３と第２の通信部３４とは、一体的に形成されてもよい。
【００５７】
操作部３５は、たとえば、キーボード、テンキー及びタッチパネルから構成される。操作部３５は、ユーザが入力した種々の操作指示を取り込み、ユーザに入力された操作指示を表す信号をプロセッサ３１へ送信する。
【００５８】
表示部３６は、たとえば、液晶モニタから構成される。表示部３６は、プロセッサ３１の制御により種々の情報を表示する。なお、操作部３５がタッチパネルなどで構成される場合、表示部３６は、操作部３５と一体的に形成されてもよい。
【００５９】
スピーカ部３７は、たとえば、スピーカなどから構成される。スピーカ部３７は、プロセッサ３１の制御により種々の音を出力する。なお、携帯端末３０は、音を出力するためのイヤフォン又はスピーカと接続するインターフェースを備えてもよい。
【００６０】
次に、サーバ装置１０、検出装置２０及び携帯端末３０が実現する機能について説明する。  
まず、検出装置２０のプロセッサ２１が実現する機能について説明する。  
まず、プロセッサ２１は、生体センサ２６の各センサから生体情報を取得する機能を有する。たとえば、プロセッサ２１は、血圧センサ２６１から生体情報として血圧の測定値（血圧値）を取得する。
【００６１】
たとえば、プロセッサ２１は、血圧センサ２６１に対して血圧値を取得するコマンドを送信し、当該コマンドに対するレスポンスとして血圧値を取得する。また、プロセッサ２１は、血圧センサ２６１が所定のタイミングで送信する血圧値を取得してもよい。なお、プロセッサ２１は、生体センサ２６から、生体情報の測定値として、心拍、心電、脈波、脈拍、体温、発汗又は脳波の測定値を取得してもよい。
【００６２】
また、プロセッサ２１は、加速度センサ２７から加速度情報を取得する機能を有する。
たとえば、プロセッサ２１は、加速度センサ２７に対して加速度情報を取得するコマンドを送信し、当該コマンドに対するレスポンスとして加速度情報を取得する。また、プロセッサ２１は、加速度センサ２７が所定のタイミングで送信する加速度情報を取得してもよい。
【００６３】
また、プロセッサ２１は、環境センサ２８から環境情報を取得する機能を有する。たとえば、プロセッサ２１は、気温センサ２８１から環境情報の測定値として気温を取得する。
【００６４】
たとえば、プロセッサ２１は、気温センサ２８１に対して気温を取得するコマンドを送信し、当該コマンドに対するレスポンスとして気温を取得する。また、プロセッサ２１は、気温センサ２８１が所定のタイミングで送信する気温を取得してもよい。なお、プロセッサ２１は、環境センサ２８から、環境情報の測定値として、湿度、気圧、照度又は音の状態を示す値を取得してもよい。
【００６５】
また、プロセッサ２１は、生体情報、加速度情報及び環境情報を携帯端末３０へ送信する機能を有する。  
たとえば、プロセッサ２１は、通信部２３を通じて生体情報、加速度情報及び環境情報を携帯端末３０へ送信する。
【００６６】
たとえば、プロセッサ２１は、通信部２３を通じて生体情報、加速度情報及び環境情報のリクエストを携帯端末３０から受信すると、当該リクエストに対するレスポンスとして生体情報、加速度情報及び環境情報を送信する。また、プロセッサ２１は、通信部２３を通じて、所定のタイミングで（たとえば、携帯端末３０と通信が確立した時）生体情報、加速度情報及び環境情報を携帯端末３０へ送信してもよい。
【００６７】
また、プロセッサ２１は、生体情報、加速度情報及び環境情報に時刻を示す時刻情報を含めてもよい。たとえば、プロセッサ２１は、生体情報の測定値、加速度情報の測定値及び環境情報の測定値を測定した時刻を示す時刻情報をそれぞれ生体情報、加速度情報及び環境情報に含めてもよい。  
また、プロセッサ２１は、生体センサ２６、加速度センサ２７及び環境センサ２８から各測定値が測定された時刻を示す時刻情報を取得してもよい。
【００６８】
なお、プロセッサ２１は、生体情報、加速度情報及び環境情報を個別に携帯端末３０へ送信してもよい。たとえば、プロセッサ２１は、生体情報、加速度情報及び環境情報のそれぞれを要求するリクエストを受信して、当該リクエストに対するレスポンスとして生体情報、加速度情報及び環境情報のそれぞれを携帯端末３０に送信してもよい。  
また、プロセッサ２１は、他の情報を携帯端末３０へ送信してもよい。
【００６９】
次に、携帯端末３０のプロセッサ３１が実現する機能について説明する。  
まず、プロセッサ３１は、生体情報を取得する機能を有する。プロセッサ３１は、第２の通信部３４を通じて検出装置２０から生体情報を取得する。たとえば、プロセッサ３１は、第２の通信部３４を通じて生体情報のリクエストを検出装置２０へ送信し、当該リクエストに対するレスポンスとして生体情報を受信する。また、プロセッサ３１は、第２の通信部３４を通じて検出装置２０が所定のタイミングで送信する生体情報を受信してもよい。
【００７０】
また、プロセッサ３１は、加速度情報を取得する機能を有する。プロセッサ３１は、第２の通信部３４を通じて検出装置２０から加速度情報を取得する。たとえば、プロセッサ３１は、第２の通信部３４を通じて加速度情報のリクエストを検出装置２０へ送信し、当該リクエストに対するレスポンスとして加速度情報を受信する。また、プロセッサ３１は、第２の通信部３４を通じて検出装置２０が所定のタイミングで送信する加速度情報を受信してもよい。
【００７１】
また、プロセッサ３１は、環境情報を取得する機能を有する。プロセッサ３１は、第２の通信部３４を通じて検出装置２０から環境情報を取得する。たとえば、プロセッサ３１は、第２の通信部３４を通じて環境情報のリクエストを検出装置２０へ送信し、当該リクエストに対するレスポンスとして環境情報を受信する。また、プロセッサ３１は、第２の通信部３４を通じて検出装置２０が所定のタイミングで送信する環境情報を受信してもよい。
【００７２】
なお、プロセッサ３１は、検出装置２０以外の装置から環境情報を取得してもよい。たとえば、提供システム１は、環境情報を測定する測定装置を所定の位置（たとえば、住宅１００内）に備えてもよい。たとえば、測定装置は、温度センサなどから構成されてもよい。たとえば、プロセッサ３１は、温度などの測定値を示す環境情報を測定装置から取得してもよい。
【００７３】
また、プロセッサ３１は、生体情報、加速度情報及び環境情報をサーバ装置１０へ送信する機能を有する。  
たとえば、プロセッサ３１は、第１の通信部３３を通じて生体情報、加速度情報及び環境情報をサーバ装置１０へ送信する。
【００７４】
たとえば、プロセッサ３１は、第１の通信部３３を通じて生体情報、加速度情報及び環境情報のリクエストをサーバ装置１０から受信すると、当該リクエストに対するレスポンスとして生体情報、加速度情報及び環境情報を送信する。また、プロセッサ３１は、第１の通信部３３を通じて、所定のタイミング（アプリ起動時など）で生体情報、加速度情報及び環境情報をサーバ装置１０へ送信してもよい。
【００７５】
なお、プロセッサ３１は、生体情報、加速度情報及び環境情報を個別にサーバ装置１０へ送信してもよい。たとえば、プロセッサ３１は、生体情報、加速度情報及び環境情報のそれぞれを要求するリクエストを受信して、当該リクエストに対するレスポンスとして生体情報、加速度情報及び環境情報のそれぞれをサーバ装置１０に送信してもよい。
【００７６】
また、プロセッサ３１は、サーバ装置１０からのメニュー情報が示すトレーニングメニューをユーザに提示する機能を有する。  
プロセッサ３１は、第１の通信部３３を通じてサーバ装置１０からメニュー情報を取得する。たとえば、プロセッサ３１は、メニュー情報のリクエストをサーバ装置１０へ送信し、当該リクエストに対するレスポンスとしてメニュー情報を受信する。また、プロセッサ３１は、所定のタイミングでサーバ装置１０が送信するメニュー情報を受信してもよい。
【００７７】
メニュー情報が示すトレーニングメニューは、ユーザの血圧調整能力などに基づくものである。トレーニングメニューは、ユーザの血圧調整能力などを向上させる効果があるトレーニングである。たとえば、トレーニングメニューは、呼吸トレーニング（呼吸トレーニングのメニュー）又は歩行トレーニング（歩行トレーニングのメニュー）である。
【００７８】
呼吸トレーニングは、呼吸を通じて血圧調整能力などを向上させる。たとえば、呼吸トレーニングは、音による案内（たとえば、音声案内）で提供される。呼吸トレーニングは、所定の間隔で鳴るテンポ音に合わせたタイミングで呼吸（吸う及び吐く）を行う。プロセッサ３１は、スピーカ部３７を通じて、呼吸トレーニングの音案内を提示する。
【００７９】
なお、呼吸トレーニングは、画像を用いるものであってもよい。たとえば、呼吸トレーニングは、所定のポーズを画像で示しながら当該ポーズで呼吸を行うものであってもよい。呼吸トレーニングは、画像及び音案内を組み合わせたものであってもよい。
【００８０】
歩行トレーニングは、歩行を通じて血圧調整能力などを向上させる。たとえば、歩行トレーニングは、音による案内で提供される。歩行トレーニングは、所定の間隔で鳴るテンポ音に合わせて歩行を行う。また、歩行トレーニングは、音楽に合わせて歩行を行うものであってもよい。
【００８１】
また、歩行トレーニングは、インターバルトレーニングを含んでもよい。たとえば、歩行トレーニングは、比較的早い速度での歩行と比較的遅い速度での歩行とを繰り返すものであってもよい。
【００８２】
プロセッサ３１は、スピーカ部３７を通じて、歩行トレーニングの音案内を提示する。
なお、歩行トレーニングは、歩行ペースをテキストで示してもよい。また、歩行トレーニングは、画像及び音案内を組み合わせたものであってもよい。
【００８３】
また、メニュー情報は、複数のトレーニングを示すものであってもよい。たとえば、メニュー情報は、複数の呼吸トレーニング又は複数の歩行トレーニングを示すものであってもよい。また、メニュー情報は、呼吸トレーニング及び歩行トレーニングの組合せを示すものであってもよい。
【００８４】
また、メニュー情報が複数のトレーニングから選択したトレーニングを行うことを指示する場合、プロセッサ３１は、ユーザからトレーニングの選択を受け付けてもよい。たとえば、プロセッサ３１は、表示部３６に複数のトレーニングを表示してユーザからの選択を受け付ける。プロセッサ３１は、選択されたトレーニングをユーザに提示する。
【００８５】
また、メニュー情報が複数のトレーニングのいずれも行うことを指示する場合、プロセッサ３１は、いずれのトレーニングも行うことを促すメッセージなどを表示部３６に表示してもよい。
【００８６】
また、メニュー情報が複数のトレーニングに優先順位を付している場合、プロセッサ３１は、メニュー情報に従って複数のトレーニングに優先順位を付して表示してもよい。プロセッサ３１は、優先順位に従ってトレーニングを行うことを促すメッセージなどを表示部３６に表示してもよい。
【００８７】
また、プロセッサ３１は、サーバ装置１０からユーザの状態を示す状態情報を取得してもよい。たとえば、状態情報は、ユーザの血圧調整能力などを示す。また、状態情報は、ユーザの血圧調整能力などが向上又は低下したことを示すものであってもよい。プロセッサ３１は、状態情報が示すユーザの状態を表示部３６に表示する。
【００８８】
次に、サーバ装置１０のプロセッサ１１が実現する機能について説明する。  
図５は、サーバ装置１０が実現する機能を示すブロック図である。図５が示すように、サーバ装置１０は、生体情報取得部４１、加速度情報取得部４２、環境情報取得部４３、判定部４４及び生成部４５などを備える。これらの機能は、プロセッサ１１がメモリ１２などに格納されるプログラムを実行することによって実現される。
【００８９】
まず、プロセッサ１１は、生体情報取得部４１として、生体情報を取得する機能を有する。プロセッサ１１は、通信部１３を通じて携帯端末３０から生体情報を取得する。たとえば、プロセッサ１１は、通信部１３を通じて生体情報のリクエストを携帯端末３０へ送信し、当該リクエストに対するレスポンスとして生体情報を受信する。また、プロセッサ１１は、通信部１３を通じて携帯端末３０が所定のタイミングで送信する生体情報を受信してもよい。
【００９０】
また、プロセッサ１１は、加速度情報取得部４２として、加速度情報を取得する機能を有する。プロセッサ１１は、通信部１３を通じて携帯端末３０から加速度情報を取得する。たとえば、プロセッサ１１は、通信部１３を通じて加速度情報のリクエストを携帯端末３０へ送信し、当該リクエストに対するレスポンスとして加速度情報を受信する。また、プロセッサ１１は、通信部１３を通じて携帯端末３０が所定のタイミングで送信する加速度情報を受信してもよい。
【００９１】
また、プロセッサ１１は、環境情報取得部４３として、環境情報を取得する機能を有する。プロセッサ１１は、通信部１３を通じて携帯端末３０から環境情報を取得する。たとえば、プロセッサ１１は、通信部１３を通じて環境情報のリクエストを携帯端末３０へ送信し、当該リクエストに対するレスポンスとして環境情報を受信する。また、プロセッサ１１は、通信部１３を通じて携帯端末３０が所定のタイミングで送信する環境情報を受信してもよい。  
なお、プロセッサ１１は、携帯端末３０から生体情報、加速度情報及び環境情報を同時に取得するものであってもよい。
【００９２】
また、プロセッサ１１は、判定部４４として、ユーザの血圧調整能力を判定する機能を有する。  
プロセッサ１１は、生体情報が示す血圧値などに基づいてユーザの血圧調整能力を判定する。血圧調整能力は、ユーザが血圧を調整する能力であり、本願出願時に各種学会又は論文などで一般的に定義されているものである。たとえば、プロセッサ１１は、ユーザの血圧調整能力を示す指標を判定する。
【００９３】
たとえば、プロセッサ１１は、時系列での血圧値に基づいてユーザの血圧調整能力を判定する。プロセッサ１１は、血圧値の変動に基づいてユーザの血圧調整能力を判定する。たとえば、プロセッサ１１は、血圧サージが生じた回数に基づいて血圧調整能力を判定する。
【００９４】
血圧サージは、急激な血圧の上昇である。たとえば、血圧サージは、所定の拍数（又は、期間）において所定の閾値を超える血圧値の上昇である。  
プロセッサ１１は、血圧サージの回数が多いほど、血圧調整能力が低いと判定する。また、プロセッサ１１は、血圧サージ毎に危険度（たとえば、上昇した血圧値に応じた危険度）を判定し、カウントしてもよい。たとえば、プロセッサ１１は、危険度毎の血圧サージの回数に重みを付けて、血圧調整能力を判定してもよい。
【００９５】
また、プロセッサ１１は、血圧サージ（又は、血圧上昇あるいは低下）が生じた後に、上昇した血圧値が元の血圧値に戻るまでに時間に基づいて血圧調整能力を判定してもよい。たとえば、プロセッサ１１は、上昇した血圧値が元の血圧値に戻るまでの時間が長いほど血圧調整能力が低いと判定する。
【００９６】
また、プロセッサ１１は、加速度情報にさらに基づいて血圧調整能力を判定する。  
たとえば、プロセッサ１１は、加速度情報に基づいて時系列の運動量を算出する。プロセッサ１１は、時系列の運動量にさらに基づいて血圧調整能力を判定する。たとえば、プロセッサ１１は、運動量が少ない期間において血圧値が上昇又は下降する場合には、血圧調整能力が低いと判定する。
【００９７】
また、プロセッサ１１は、運動量が上昇した期間において血圧サージが生じた場合には、血圧の変動が運動量に起因するものと判断する。たとえば、プロセッサ１１は、当該血圧サージをカウントしない。また、プロセッサ１１は、当該血圧サージを危険度の低い血圧サージと判定してもよい。
【００９８】
また、プロセッサ１１は、運動量が低下してから（ユーザが運動をやめてから）、運動によって上昇した血圧値が元の血圧値に戻るまでに時間に基づいて血圧調整能力を判定してもよい。たとえば、プロセッサ１１は、運動によって上昇した血圧値が元の血圧値に戻るまでの時間が長いほど血圧調整能力が低いと判定する。
【００９９】
また、プロセッサ１１は、環境情報にさらに基づいて血圧調整能力を判定する。  
たとえば、プロセッサ１１は、環境情報が示す気温にさらに基づいて血圧調整能力を判定する。プロセッサ１１は、気温が変化（たとえば、低下）した期間に血圧値が上昇すると、血圧値の上昇が気温に起因するものと判定する。たとえば、プロセッサ１１は、血圧値の上昇が所定の閾値以下であれば、血圧値の上昇を血圧調整能力の低下を示す要素とは判定しない。また、プロセッサ１１は、血圧値の上昇が所定の閾値以上（たとえば、血圧サージ）であれば、血圧調整能力が低いと判定する。
【０１００】
また、プロセッサ１１は、気温の変化によって上昇した血圧値が元の血圧値に戻るまでに時間に基づいて血圧調整能力を判定してもよい。たとえば、プロセッサ１１は、元の血圧値に戻るまでの時間が長いほど血圧調整能力が低いと判定する。
【０１０１】
なお、プロセッサ１１は、他の要因に基づいて血圧調整能力を判定してもよい。プロセッサ１１が血圧調整能力を判定する方法は、特定の方法に限定されるものではない。
【０１０２】
また、プロセッサ１１は、判定部４４として、ユーザの自律神経の状態を判定してもよい。たとえば、プロセッサ１１は、ユーザの自律神経の状態を示す指標を判定する。  
たとえば、プロセッサ１１は、自律神経の状態として、心拍の調整能力を判定する。プロセッサ１１は、生体情報が示す心拍数に基づいて心拍の調整能力を判定する。
【０１０３】
プロセッサ１１は、時系列の心拍数に基づいて心拍の調整能力を判定する。たとえば、プロセッサ１１は、心拍数の変動に基づいて心拍の調整能力を判定する。たとえば、プロセッサ１１は、所定の期間に所定の閾値を超える変動が生じた場合には、心拍の調整能力を低く判定する。
【０１０４】
また、プロセッサ１１は、加速度情報にさらに基づいて心拍の調整能力を判定してもよい。  
たとえば、プロセッサ１１は、加速度情報に基づいて時系列の運動量を算出する。プロセッサ１１は、時系列の運動量にさらに基づいて心拍の調整能力を判定する。たとえば、プロセッサ１１は、運動量が少ない期間において心拍数が上昇又は下降する場合には、心拍の調整能力が低いと判定する。
【０１０５】
また、プロセッサ１１は、運動量が低下してから（ユーザが運動をやめてから）、元の心拍数に戻るまでに時間に基づいて心拍の調整能力を判定してもよい。たとえば、プロセッサ１１は、元の心拍数に戻るまでの時間が長いほど心拍の調整能力が低いと判定する。
【０１０６】
また、プロセッサ１１は、環境情報にさらに基づいて心拍の調整能力を判定してもよい。  
たとえば、プロセッサ１１は、環境情報が示す気温にさらに基づいて心拍の調整能力を判定する。プロセッサ１１は、気温が変化（たとえば、低下）した期間に心拍数が上昇すると、血圧値の上昇が気温に起因するものと判定する。たとえば、プロセッサ１１は、心拍数の上昇が所定の閾値以下であれば、心拍数の上昇を心拍の調整能力の低下を示す要素とは判定しない。また、プロセッサ１１は、心拍数の上昇が所定の閾値以上（たとえば、血圧サージ）であれば、心拍の調整能力が低いと判定する。
【０１０７】
また、プロセッサ１１は、気温の変化によって上昇した心拍数が元の血圧値に戻るまでに時間に基づいて心拍の調整能力を判定してもよい。たとえば、プロセッサ１１は、元の心拍数に戻るまでの時間が長いほど心拍の調整能力が低いと判定する。
【０１０８】
なお、プロセッサ１１は、他の要因に基づいて心拍の調整能力を判定してもよい。プロセッサ１１が心拍の調整能力を判定する方法は、特定の方法に限定されるものではない。
また、プロセッサ１１は、自律神経の状態として、呼吸、発汗、消化又は体温などの調整能力の状態を判定してもよい。
【０１０９】
また、プロセッサ１１は、生成部４５として、血圧調整能力に対応するトレーニングメニューを示すメニュー情報を生成する機能を有する。  
プロセッサ１１は、血圧調整能力に基づいてユーザに提示するトレーニングを決定する。たとえば、プロセッサ１１は、血圧調整能力の指標とトレーニングとを対応付けたテーブルを参照してトレーニングを決定する。
【０１１０】
トレーニングメニューは、血圧調整能力に対応したものである。たとえば、トレーニングメニューは、当該血圧調整能力のユーザが無理なく血圧調整能力を向上させることができるメニューである。
【０１１１】
前述の通り、トレーニングメニューは、呼吸トレーニング又は歩行トレーニングから構成される。プロセッサ１１は、トレーニングメニューとして、血圧調整能力の指標に対応した呼吸トレーニング又は歩行トレーニングを決定する。
【０１１２】
プロセッサ１１は、トレーニングメニューとして、呼吸トレーニング又は歩行トレーニングの何れか１つを決定してもよいし、両者を決定してもよい。また、プロセッサ１１は、複数の呼吸トレーニング又は複数の歩行トレーニングを決定してもよい。
【０１１３】
なお、プロセッサ１１は、ユーザの自律神経の状態にさらに基づいてトレーニングメニューを決定してもよい。たとえば、プロセッサ１１は、血圧調整能力の指標及び自律神経の状態の指標とトレーニングとを対応付けたテーブルを参照してトレーニングを決定する。また、プロセッサ１１は、他の要素にさらに基づいてトレーニングを決定してもよい。
【０１１４】
また、プロセッサ１１は、トレーニングメニューとして、他のトレーニングを決定してもよい。プロセッサ１１がトレーニングを決定する方法及び決定されたトレーニングの構成は、特定の構成に限定されるものではない。
【０１１５】
プロセッサ１１は、決定したトレーニングを示すメニュー情報を生成する。たとえば、プロセッサ１１は、トレーニングの音声又は画像を含むメニュー情報を生成する。また、プロセッサ１１は、トレーニングを示すコード等を含むメニュー情報を生成してもよい。
【０１１６】
トレーニングを複数決定した場合、プロセッサ１１は、いずれかのトレーニングを選択して行うことを指示するメニュー情報を生成してもよい。また、この場合、プロセッサ１１は、いずれのトレーニングも行うことを指示するメニュー情報を生成してもよい。また、この場合、プロセッサ１１は、トレーニングに優先順位を付したメニュー情報を生成してもよい。  
プロセッサ１１は、通信部１３を通じて、生成したメニュー情報を携帯端末３０へ送信する。たとえば、プロセッサ１１は、携帯端末３０からのリクエストに対するレスポンスとしてメニュー情報を送信する。また、プロセッサ１１は、所定のタイミングでメニュー情報を携帯端末３０へ送信してもよい。
【０１１７】
なお、プロセッサ１１は、生体情報、加速度情報及び環境情報など基づいて、ユーザの状態を示す状態情報を生成してもよい。たとえば、プロセッサ１１は、血圧調整能力の指標を示す状態情報を生成する。また、プロセッサ１１は、自律神経の状態の指標を示す状態情報を生成してもよい。
【０１１８】
プロセッサ１１は、通信部１３を通じて、生成した状態情報を携帯端末３０へ送信する。  
また、プロセッサ１１は、通信部１３を通じて、他の情報を携帯端末３０へ送信してもよい。
【０１１９】
次に、サーバ装置１０の動作例について説明する。  
図６は、サーバ装置１０の動作例について説明するためのフローチャートである。ここでは、携帯端末３０は、検出装置２０から生体情報、加速度情報及び環境情報を取得しているものとする。また、携帯端末３０は、通信網４０と通信可能に接続しているものとする。
【０１２０】
まず、サーバ装置１０のプロセッサ１１は、通信部１３を通じて携帯端末３０から生体情報を取得する（Ｓ１１）。生体情報を取得すると、プロセッサ１１は、通信部１３を通じて携帯端末３０から加速度情報を取得する（Ｓ１２）。
【０１２１】
加速度情報を取得すると、プロセッサ１１は、通信部１３を通じて携帯端末３０から環境情報を取得する（Ｓ１３）。環境情報を取得すると、プロセッサ１１は、ユーザの血圧調整能力を判定する（Ｓ１４）。
【０１２２】
ユーザの血圧調整能力を判定すると、プロセッサ１１は、自律神経の状態を判定する（Ｓ１５）。自律神経の状態を判定すると、プロセッサ１１は、トレーニングメニューを示すメニュー情報を生成する（Ｓ１６）。
【０１２３】
メニュー情報を生成すると、プロセッサ１１は、通信部１３を通じてメニュー情報を携帯端末３０へ送信する（Ｓ１７）。メニュー情報を携帯端末３０へ送信すると、プロセッサ１１は、動作を終了する。
【０１２４】
プロセッサ１１は、携帯端末３０から生体情報を取得すると（Ｓ１１が起こると）、Ｓ１２以降を実行してもよい。また、プロセッサ１１は、携帯端末３０からメニュー情報を要求するリクエストを受信した場合に、Ｓ１１乃至Ｓ１９を行ってもよい。また、プロセッサ１１は、所定のタイミング（所定の時刻など）でＳ１１乃至Ｓ１９を行ってもよい。
【０１２５】
また、プロセッサ１１は、Ｓ１１乃至１３を異なる順序又は同時に行ってもよい。また、プロセッサ１１は、Ｓ１５の後にＳ１４を行ってもよい。
【０１２６】
また、検出装置２０は、携帯端末３０の機能を有するものであってもよい。たとえば、検出装置２０は、セルラーネットワーク又はルータなどを介してサーバ装置１０とデータを送受信する。検出装置２０は、サーバ装置１０へ生体情報、加速度情報及び環境情報などを送信する。検出装置２０は、メニュー情報をサーバ装置１０から受信する。検出装置２０は、メニュー情報をユーザに提示する。
【０１２７】
また、検出装置２０は、サーバ装置１０の機能を有するものであってもよい。たとえば、検出装置２０は、生体情報、加速度情報及び環境情報に基づいて血圧調整能力などを判定する。検出装置２０は、血圧調整能力などに基づくトレーニングメニューをユーザへ提示する。
【０１２８】
以上のように構成された提供システムは、ユーザの生体情報などに基づいて血圧調整能力などを判定する。提供システムは、血圧調整能力などに基づいてユーザのトレーニングメニューを決定する。提供システムは、携帯端末を通じてユーザにトレーニングメニューを提示する。その結果、提供システムは、ユーザの血圧調整能力に対応したトレーニングを行うことをユーザに促すことができる。従って、提供システムは、ユーザの血圧調整能力の向上させることができる。
【０１２９】
なお、本発明は、上記実施形態に限定されるものではない。ユーザの体の動きを検出するために使用するセンサとしては、加速度センサ以外に、角速度センサを使用してもよく、さらにはその両方を組み合わせて使用してもよい。
【０１３０】
実施段階ではその要旨を逸脱しない範囲で種々に変形することが可能である。また、各実施形態は適宜組み合わせて実施してもよく、その場合組み合わせた効果が得られる。更に、上記実施形態には種々の発明が含まれており、開示される複数の構成要件から選択された組み合わせにより種々の発明が抽出され得る。例えば、実施形態に示される全構成要件からいくつかの構成要件が削除されても、課題が解決でき、効果が得られる場合には、この構成要件が削除された構成が発明として抽出され得る。
【０１３１】
上記実施形態の一部または全部は、以下の付記のようにも記載され得るが、以下には限られるものではない。  
（付記１）
メモリと
前記メモリに格納されるプログラムで動作するプロセッサと、
を備え、
前記プロセッサは、
ユーザの少なくとも血圧値を含む生体情報を取得し、
前記生体情報に基づいてユーザの血圧調整能力を判定し、
前記血圧調整能力に対応するトレーニングメニューを示すメニュー情報を生成するように構成される、
情報処理装置。
（付記２）
プロセッサによって実行される情報処理方法であって、
ユーザの少なくとも血圧値を含む生体情報を取得し、
前記生体情報に基づいてユーザの血圧調整能力を判定し、
前記血圧調整能力に対応するトレーニングメニューを示すメニュー情報を生成する、
情報処理方法。
【符号の説明】
【０１３２】
１…提供システム、１０…サーバ装置、１１…プロセッサ、１３…通信部、２０…検出装置、２１…プロセッサ、２６…生体センサ、２７…加速度センサ、２８…環境センサ、３０…携帯端末、３１…プロセッサ、３３…第１の通信部、３４…第２の通信部、３６…表示部、３７…スピーカ部、２６１…血圧センサ、２８１…気温センサ。
【図１】
2018191786.tif 000003
【図２】
2018191786.tif 000004
【図３】
2018191786.tif 000005
【図４】
2018191786.tif 000006
【図５】
2018191786.tif 000007
【図６】
2018191786.tif 000008